(57)【要約】【課題】様々な姿勢において光源の効率的な冷却が可能な光源装置を提供する。【解決手段】光源装置は、光源と、光源から射出された光束を反射するリフレクターと、光源およびリフレクターを収納し、冷却風を導入可能な導入口４４ａ，４４ｂ，４４ｃ，４４ｄ、および導入口４４ａ，４４ｂ，４４ｃ，４４ｄにそれぞれ連通し、導入した冷却風が流出する複数の流出口を有する光源用筐体と、導入口４４ａ，４４ｂ，４４ｃ，４４ｄを選択的に開閉する開閉装置５と、を備え、導入口４４ａ，４４ｂ，４４ｃ，４４ｄは、中心軸４４Ｓの周囲に並設され、複数の流出口は、リフレクターの開口部に沿って設けられ、開閉装置５は、光源装置の姿勢に応じて回転することによって導入口４４ａ，４４ｂ，４４ｃ，４４ｄを選択的に開閉する回転部材５１を備える。【選択図】図７
2013246183.tif 000002
【特許請求の範囲】
【請求項１】
光源と、前記光源から射出された光束を反射するリフレクターとを備えた光源装置であって、
前記光源および前記リフレクターを収納し、冷却風を導入可能な複数の導入口、および前記複数の導入口にそれぞれ連通し、導入した前記冷却風が流出する複数の流出口を有する光源用筐体と、
前記複数の導入口を選択的に開閉する開閉装置と、
を備え、
前記複数の導入口は、中心軸の周囲に並設され、
前記複数の流出口は、前記リフレクターの開口部に沿って設けられ、
前記開閉装置は、当該光源装置の姿勢に応じて前記中心軸を中心に回転することによって前記複数の導入口を選択的に開閉する回転部材を備えることを特徴とする光源装置。
【請求項２】
請求項１に記載の光源装置であって、
前記回転部材は、前記複数の流出口のうち、当該光源装置の鉛直方向における上側となる前記流出口に連通する前記導入口を開放し、下側となる前記流出口に連通する前記導入口を閉塞するように回転することを特徴とする光源装置。
【請求項３】
請求項１または請求項２に記載の光源装置であって、
前記回転部材は、重力によって回転することにより前記複数の導入口を選択的に開閉することを特徴とする光源装置。
【請求項４】
請求項１〜請求項３のいずれか一項に記載の光源装置であって、
前記流出口は、４つ以上設けられていることを特徴とする光源装置。
【請求項５】
請求項１〜請求項４のいずれか一項に記載の光源装置であって、
前記回転部材は、前記中心軸を中心とする平面視円形状に形成され、前記複数の導入口のいずれかを開放する開口部を有していることを特徴とする光源装置。
【請求項６】
請求項１〜請求項５のいずれか一項に記載の光源装置と、
前記光源装置から射出された光束を画像情報に応じて変調する光変調装置と、
前記光変調装置で変調された光束を投写する投写レンズと、
前記複数の導入口に冷却風を送出する冷却ファンと、
を備えることを特徴とするプロジェクター。
【請求項７】
請求項６に記載のプロジェクターであって、
前記光源用筐体は、
前記光源および前記リフレクターを収納し、前記複数の流出口が設けられたリフレクター収納部と、
前記複数の導入口が設けられ、前記回転部材が支持された導入口形成部と、を有し、
前記リフレクター収納部は、前記導入口形成部と分離して、着脱自在に構成されていることを特徴とするプロジェクター。
【発明の詳細な説明】
【技術分野】
【０００１】
本発明は、光源装置およびプロジェクターに関する。
【背景技術】
【０００２】
従来、光源から射出された光束を画像情報に応じて変調し、変調した光束をスクリーン等の投写面に投写するプロジェクターが知られている。このプロジェクターには、投写される画像を鮮明に表示させるために、超高圧水銀ランプ等の光源が用いられている。光源は、光束の射出に伴って発熱するため、冷却することが必要とされ、プロジェクターが机上等に据え置かれる据置き設置、および天井等に設置される天吊り設置で効率よく光源を冷却するように構成された技術が提案されている（例えば、特許文献１参照）。
【０００３】
特許文献１に記載のプロジェクターは、据置き設置、および据置き設置に対して上下反転される天吊り設置において、光源ランプ筐体に設けられた複数の通気路を重力作用によって回動するシャッターにより開閉して、下降気流によって光源を冷却するように構成されている。
【先行技術文献】
【特許文献】
【０００４】
【特許文献１】特開２００５−１０５０５号公報
【発明の概要】
【発明が解決しようとする課題】
【０００５】
しかしながら、特許文献１に記載の技術は、プロジェクターの据置き設置および天吊り設置以外の姿勢、例えば、据置き設置に対して９０°回転された姿勢や、据置き設置に対して傾斜する姿勢においては、シャッターが所望の方向に必ずしも回動しないため、光源に冷却風を送風することが難しくなる恐れがある。また、据置き設置および天吊り設置以外の姿勢においては、冷却風が吹き出される吹出し口が必ずしも光源の上方に位置しないため、下降気流によって光源を冷却することができないという課題がある。つまり、近年、プロジェクターの使用シーンを広げるために据置き設置および天吊り設置以外の姿勢において投写可能とするプロジェクターが求められているが、特許文献１に記載の技術では、この据置き設置および天吊り設置以外の姿勢においては、光源を効率よく冷却することができないという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係る光源装置は、光源と、前記光源から射出された光束を反射するリフレクターとを備えた光源装置であって、前記光源および前記リフレクターを収納し、冷却風を導入可能な複数の導入口、および前記複数の導入口にそれぞれ連通し、導入した前記冷却風が流出する複数の流出口を有する光源用筐体と、前記複数の導入口を選択的に開閉する開閉装置と、を備え、前記複数の導入口は、中心軸の周囲に並設され、前記複数の流出口は、前記リフレクターの開口部に沿って設けられ、前記開閉装置は、当該光源装置の姿勢に応じて前記中心軸を中心に回転することによって前記複数の導入口を選択的に開閉する回転部材を備えることを特徴とする。
【０００８】
この構成によれば、光源装置は、上述した光源用筐体および開閉装置を備えているので、開放された導入口から導入された冷却風を、この導入口に連通する流出口から流出させ、光源に送風することができる。また、複数の導入口は、光源装置の姿勢に応じて選択的に開閉される。これによって、光源の光軸に沿う方向の軸を中心として回転される方向において、光源装置の姿勢に係わらず、鉛直方向における略同一の方向から冷却風を光源に送風することが可能となる。例えば、放電型の光源を用いる場合においては、対向する一対の電極間に生じるアークは、光束の射出に伴う発熱によって熱対流が生じるため、アークの中心位置が、鉛直方向において、電極間の中心位置よりも上側にずれる。よって、上述した光源装置を用いることで、光源装置の姿勢が変更された場合であっても、鉛直方向における略同一の方向から冷却風を光源に送風し、光源を安定して冷却することが可能となる。
【０００９】
［適用例２］上記適用例に係る光源装置において、前記回転部材は、前記複数の流出口のうち、当該光源装置の鉛直方向における上側となる前記流出口に連通する前記導入口を開放し、下側となる前記流出口に連通する前記導入口を閉塞するように回転することが好ましい。
【００１０】
この構成によれば、光源装置の姿勢に係わらず、鉛直方向における上側から光源を冷却することが可能となる。よって、放電型の光源を用いる場合等、鉛直方向における上側が熱くなりがちな光源の上側に冷却風を集中的に送風して、光源を効率よく冷却することが可能となる。
【００１１】
［適用例３］上記適用例に係る光源装置において、前記回転部材は、重力によって回転することにより前記複数の導入口を選択的に開閉することが好ましい。
【００１２】
この構成によれば、回転部材を駆動する駆動部やその駆動部を制御する制御部等を備えることなく、簡素な構造で導入口を選択的に開閉することが可能となる。
【００１３】
［適用例４］上記適用例に係る光源装置において、前記流出口は、４つ以上設けられていることが好ましい。
【００１４】
この構成によれば、流出口は、４つ以上設けられているので、この４つの流出口を光源の光軸から見て、光源を取り囲むように形成することが可能となる。よって、光源装置の姿勢が変更された際にも、鉛直方向において、光源に略同一の方向から冷却風を送風し、光源を安定して冷却することが可能となる。特に流出口が４つ設けられている場合には、導入口から流出口に至る流路形状の簡素化や、スペース効率を高めて流路を形成することが可能となるので、流路を形成する部品の製造簡素化や光源用筐体の小型化が図れる。
【００１５】
［適用例５］上記適用例に係る光源装置において、前記回転部材は、前記中心軸を中心とする平面視円形状に形成され、前記複数の導入口のいずれかを開放する開口部を有していることが好ましい。
【００１６】
この構成によれば、回転部材は、上述したように形成されているので、中心軸の周囲に並設されている複数の導入口を選択的に開閉する構造を容易に構成することができる。
【００１７】
［適用例６］本適用例に係るプロジェクターは、前記光源装置から射出された光束を画像情報に応じて変調する光変調装置と、前記光変調装置で変調された光束を投写する投写レンズと、前記複数の導入口に冷却風を送出する冷却ファンと、を備えることを特徴とする。
【００１８】
この構成によれば、プロジェクターは、上述した光源装置を備えているので、机上等に設置される据置き設置、および据置き設置に対して上下反転され天井等に設置される天吊り設置を含むプロジェクターの様々な姿勢において、効率よく光源を冷却することが可能となる。よって、使用シーンを広げ、長期間に亘って光源装置の使用が可能なプロジェクターの提供が可能となる。
【００１９】
［適用例７］上記適用例に係るプロジェクターにおいて、前記光源用筐体は、前記光源および前記リフレクターを収納し、前記複数の流出口が設けられたリフレクター収納部と、前記複数の導入口が設けられ、前記回転部材が支持された導入口形成部と、を有し、前記リフレクター収納部は、前記導入口形成部と分離して、着脱自在に構成されていることが好ましい。
【００２０】
この構成によれば、導入口形成部および開閉装置をプロジェクター本体に配置した状態で、リフレクター収納部を取り出すことで、光源を交換することができる。よって、光源を交換するための交換部材に導入口形成部および開閉装置を含める必要がないので、交換部品の点数増加の抑制や、交換するユニットを小型化できることによる取り扱い性の向上が図れる。
【図面の簡単な説明】
【００２１】
【図１】本実施形態のプロジェクターの概略構成を示す模式図。
【図２】本実施形態の光源装置の斜視図。
【図３】本実施形態の光源装置の分解斜視図。
【図４】本実施形態の光源装置の断面図であり、本体カバーを省略した図。
【図５】本実施形態の流出口形成部、導入口形成部および保持部を流出口形成部の内面側から見た斜視図。
【図６】本実施形態の流出口形成部、上カバーおよび下カバーの分解斜視図。
【図７】本実施形態の導入口形成部および開閉装置の分解斜視図。
【図８】本実施形態の導入口形成部が取り付けられた保持部を示す斜視図。
【図９】本実施形態の動作、および冷却風の流れを説明するための図。
【図１０】本実施形態の動作、および冷却風の流れを説明するための図。
【図１１】本実施形態の動作、および冷却風の流れを説明するための図。
【図１２】変形例１の導入口形成部、および流出口形成部の一部を示す模式図。
【図１３】変形例１の動作を説明するための図。
【図１４】変形例１の動作を説明するための図。
【発明を実施するための形態】
【００２２】
以下、本実施形態に係るプロジェクターについて、図面を参照して説明する。
本実施形態のプロジェクターは、光源から射出された光束を画像情報に応じて変調してスクリーン等に拡大投写する。このプロジェクターは、机上等に据え置かれる据置き設置、および据置き設置に対して上下が反転されて天井等に吊り下げられる天吊り設置を含め、光源の光軸に沿う方向の軸を中心として３６０°回転される範囲内の姿勢において、光源を効率よく冷却できるように構成されている。
【００２３】
〔プロジェクターの主な構成〕
図１は、本実施形態のプロジェクター１の概略構成を示す模式図である。
プロジェクター１は、図１に示すように、外装を構成する外装筐体２、制御部（図示省略）、光源装置３１を有する光学ユニット３、および冷却装置９を備えている。なお、図示は省略するが、外装筐体２の内部には、さらに、光源装置３１や制御部に電力を供給する電源装置等が配置されている。
【００２４】
外装筐体２は、詳細な説明は省略するが、上部を形成する上ケース、下部を形成する下ケース等を有し、これらは、ネジ等により固定されている。そして、外装筐体２には、外気を取り込むための吸気口、および外装筐体２内部の温まった空気を外部に排気するための排気口等が設けられている。なお、吸気口には、図示しない防塵フィルターが配置されており、外気に混入している塵埃の外装筐体２内への侵入を抑制するように構成されている。
【００２５】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御や冷却装置９に備えられた冷却ファン９１等の駆動等の制御を行う。
【００２６】
光学ユニット３は、制御部による制御の下、光源装置３１から射出された光束を光学的に処理して投写する。
光学ユニット３は、図１に示すように、光源装置３１に加え、平行化レンズ３１３、インテグレーター照明光学系３２、色分離光学系３３、リレー光学系３４、電気光学装置３５、投写レンズ３６、およびこれらの光学部品を光路上の所定位置に配置する光学部品用筐体３７を備える。
光学ユニット３は、図１に示すように平面視略Ｌ字状に形成され、一方の端部に光源装置３１が配置され、他方の端部に投写レンズ３６が配置される。なお、以下では、説明の便宜上、光源装置３１から光束が射出される方向を＋Ｘ方向（左側）、投写レンズ３６から光束が射出される方向を＋Ｙ方向（前側）、据置き設置における上方を＋Ｚ方向（上側）として記載する。
【００２７】
光源装置３１は、超高圧水銀ランプやメタルハライドランプ等からなる放電型の光源３１１、リフレクター３１２、光源用筐体４、および開閉装置５等を備える。光源装置３１は、光源３１１から射出された光束をリフレクター３１２にて反射し、平行化レンズ３１３に向けて射出する。
また、後で詳細に説明するが、光源用筐体４には、冷却ファン９１から送出された冷却風が流通する複数の流路が設けられている。開閉装置５は、プロジェクター１の姿勢に応じてこの複数の流路のうちのいずれかに冷却風が流通するように構成され、プロジェクター１の様々な姿勢において光源３１１が効率よく冷却されるように構成されている。
【００２８】
平行化レンズ３１３は、光源用筐体４に取り付けられ、光源装置３１から射出された光束を射出方向を揃えてインテグレーター照明光学系３２に射出する。
【００２９】
インテグレーター照明光学系３２は、第１レンズアレイ３２１、第２レンズアレイ３２２、偏光変換素子３２３、および重畳レンズ３２４を備える。
第１レンズアレイ３２１は、光源装置３１から射出された光束を複数の部分光束に分割する光学素子であり、光源装置３１から射出された光束の光軸Ｃに対して略直交する面内にマトリックス状に配列される複数の小レンズを備えている。
【００３０】
第２レンズアレイ３２２は、第１レンズアレイ３２１と略同様の構成を有しており、重畳レンズ３２４とともに、第１レンズアレイ３２１から射出された部分光束を後述する液晶ライトバルブ３５１の表面に重畳させる。
偏光変換素子３２３は、第２レンズアレイ３２２から射出されたランダム光を液晶ライトバルブ３５１で利用可能な略１種類の偏光光に揃える機能を有する。
【００３１】
色分離光学系３３は、２枚のダイクロイックミラー３３１，３３２、および反射ミラー３３３を備え、インテグレーター照明光学系３２から射出された光束を赤色光（以下「Ｒ光」という）、緑色光（以下「Ｇ光」という）、青色光（以下「Ｂ光」という）の３色の色光に分離する。
【００３２】
リレー光学系３４は、入射側レンズ３４１、リレーレンズ３４３、および反射ミラー３４２，３４４を備え、色分離光学系３３で分離されたＲ光をＲ光用の液晶ライトバルブ３５１Ｒまで導く機能を有する。なお、光学ユニット３は、リレー光学系３４がＲ光を導く構成としているが、これに限らず、例えば、Ｂ光を導く構成としてもよい。
【００３３】
電気光学装置３５は、光変調装置としての液晶ライトバルブ３５１および色合成光学装置としてクロスダイクロイックプリズム３５２を備え、色分離光学系３３で分離された各色光を画像情報に応じて変調し、変調した各色光を合成する。
【００３４】
液晶ライトバルブ３５１は、３色の色光毎に備えられており（Ｒ光用の液晶ライトバルブを３５１Ｒ、Ｇ光用の液晶ライトバルブを３５１Ｇ、Ｂ光用の液晶ライトバルブを３５１Ｂとする）、それぞれ透過型の液晶パネル、およびその両面に配置された入射側偏光板、射出側偏光板を有している。
【００３５】
液晶ライトバルブ３５１は、図示しない微小画素がマトリックス状に形成された矩形状の画素領域を有し、各画素が画像情報に応じた光透過率に設定され、画素領域内に表示画像を形成する。そして、色分離光学系３３で分離された各色光は、液晶ライトバルブ３５１にて変調された後、クロスダイクロイックプリズム３５２に射出される。
【００３６】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、誘電体多層膜が液晶ライトバルブ３５１Ｒ，３５１Ｂにて変調された色光を反射し、液晶ライトバルブ３５１Ｇにて変調された色光を透過して、各色光を合成する。
【００３７】
投写レンズ３６は、複数のレンズを有して構成され、クロスダイクロイックプリズム３５２にて合成された光をスクリーン上に拡大投写する。
【００３８】
冷却装置９は、図１に示すように、冷却ファン９１、および図示しない吸気ファン、排気ファンおよびダクトを備えている。
冷却ファン９１は、シロッコファンで構成され、図１に示すように、光源装置３１の近傍に配置され、冷却風を送出する。
吸気ファンは、外装筐体２に設けられた吸気口から外部の空気を取り込み、液晶ライトバルブ３５１等の光学部品に送風する。
排気ファンは、外装筐体２内の暖まった空気を外装筐体２の排気口から排出する。
【００３９】
〔光源装置の構成〕
ここで、光源装置３１について、詳細に説明する。
図２は、光源装置３１の斜視図である。図３は、光源装置３１の分解斜視図である。図４は、光源装置３１の断面図であり、後述する本体カバー４２を省略した図である。
光源装置３１は、図２〜図４に示すように、光源３１１、リフレクター３１２および光源用筐体４に加え、開閉装置５および保持部６を備えている。
【００４０】
光源３１１は、図４に示すように、発光管３１１１、電極３１１２，３１１３、およびリード線３１１４，３１１５を備えている。
発光管３１１１は、石英ガラス等の耐熱ガラスで形成され、図４に示すように、中央に設けられた球状の発光部３１１１Ａ、およびこの発光部３１１１Ａの両側から延出する一対の封止部３１１１Ｂ，３１１１Ｃを有している。
【００４１】
発光部３１１１Ａ内には、水銀、希ガス、およびハロゲン等が封入された放電空間が形成されており、互いの先端が近接対向する一対の電極３１１２，３１１３が配置されている。
一対の封止部３１１１Ｂ，３１１１Ｃの内部には、電極３１１２，３１１３とそれぞれ電気的に接続される図示しない一対の金属箔が配置されている。これらの一対の金属箔には、封止部３１１１Ｂ，３１１１Ｃの外部まで延出するリード線３１１４，３１１５がそれぞれ接続されている。光源３１１は、これらリード線３１１４，３１１５に電力が供給されると、対向している電極３１１２，３１１３の間で放電が発生して光束を射出する。
【００４２】
そして、発光部３１１１Ａ内には、光束の射出に伴う発熱によって熱対流が生じ、電極３１１２と電極３１１３との間に生じるアークは、鉛直方向上側に湾曲し、アークの中心位置が、電極間の中心位置よりも上側にずれる。
電極３１１２，３１１３は、製造の調整工程において、このアークが適正な位置になるように調整されてリフレクター３１２に取付けられており、光源装置３１が効率良く光束を射出するようになっている。
【００４３】
リフレクター３１２は、図４に示すように、筒状の首状部３１２１および首状部３１２１から断面略凹状に拡がる反射部３１２２を有している。
首状部３１２１には、一方の封止部３１１１Ｂが挿通される挿通孔が設けられており、発光管３１１１は、封止部３１１１Ｂとこの挿通孔との間に接着剤が注入されてリフレクター３１２に固定される。
反射部３１２２は、内面に金属薄膜が蒸着されており、発光部３１１１Ａから射出された光束を首状部３１２１とは反対側の開口部３１２Ａ側に反射する。
【００４４】
〔光源用筐体の構成〕
光源用筐体４は、光源３１１、リフレクター３１２および平行化レンズ３１３を収納するとともに、光源３１１を冷却するために冷却ファン９１から送出された冷却風を流通可能とする第１〜第５の流路Ｆ１〜Ｆ５（各流路の一部を図３に示す）を有している。
光源用筐体４は、図３に示すように、リフレクター収納部４Ａ、上カバー４３Ｕ、下カバー４３Ｄ、導入口形成部４Ｂ、および図４に示すように、第１板金４Ｃを備えている。
【００４５】
リフレクター収納部４Ａは、高耐熱性の合成樹脂製で光源３１１およびリフレクター３１２を収納するように箱状に形成され、図３に示すように、＋Ｘ側を形成する流出口形成部４１および−Ｘ側を形成する本体カバー４２を有している。
【００４６】
先ず、流出口形成部４１について、内面側の形状から説明する。
図５は、流出口形成部４１、導入口形成部４Ｂおよび保持部６を流出口形成部４１の内面側（−Ｘ側）から見た斜視図である。
流出口形成部４１は、図５に示すように、−Ｘ側から見て平面視矩形状に形成されており、−Ｘ側の四隅には、平坦部が設けられ、この平坦部には、ネジが挿通される挿通孔４１Ｈが形成されている。
流出口形成部４１は、四隅の平坦部より＋Ｘ側に窪む第１凹部４１１、および第１凹部４１１より＋Ｘ側に窪む第２凹部４１２を有している。
【００４７】
第１凹部４１１は、図４に示すように、リフレクター３１２の開口部３１２Ａ側が収納される大きさに形成され、この第１凹部４１１の底面に第１板金４Ｃを介してリフレクター３１２の先端が当接する。
第１板金４Ｃは、リフレクター３１２から反射された光束による流出口形成部４１の劣化を抑制する機能を有し、図４に示すように、第１凹部４１１の底面および第２凹部４１２の内面に沿って配置されている。
第２凹部４１２は、図４に示すように、封止部３１１１Ｃの先端より＋Ｘ側に窪むように形成され、底面の中央部には、リフレクター３１２から反射された光束が通過する開口部４１２１が設けられている。
【００４８】
また、第２凹部４１２は、図５に示すように、平面視略八角形状に形成されている。具体的に、第２凹部４１２は、図５の図面視において、上下の壁部がＸ−Ｙ平面に略沿い、左右の壁部がＸ−Ｚ平面に沿い、上下の壁部と左右の壁部とが傾斜する壁部に接続されるような八角形状に形成されている。そして、傾斜する壁部近傍の第２凹部４１２の底面には、矩形状の流出口４１ａ、４１ｂ，４１ｃ，４１ｄが設けられている。
【００４９】
流出口４１ａ、４１ｂ，４１ｃ，４１ｄは、第１〜第４の流路Ｆ１〜Ｆ４それぞれの下流側の端部に設けられており、それぞれの流路を流通した冷却風が流出する。
流出口４１ａ，４１ｂ，４１ｃ，４１ｄは、図５の図面視において、光軸Ｃに対し、左上側、右上側、右下側、左下側に、それぞれ形成されている。流出口４１ａ，４１ｂ，４１ｃ，４１ｄは、リフレクター３１２の開口部３１２Ａより＋Ｘ側に位置し、開口部３１２Ａに沿うように形成されている。換言すると、流出口４１ａ，４１ｂ，４１ｃ，４１ｄは、Ｘ方向から見て、発光管３１１１を取り囲むように配置されている。
【００５０】
また、流出口４１ａの開口面積は、流出口４１ｂの開口面積より小さく設定され、流出口４１ｄの開口面積は、流出口４１ｃの開口面積より小さく設定されている。そして、流出口４１ａ、４１ｂ，４１ｃ，４１ｄは、光軸Ｃを通るＸ−Ｙ平面に対して略上下対象となるように形成されている。
【００５１】
また、流出口形成部４１には、図５に示すように、第１凹部４１１と第２凹部４１２との間に形成される左側（−Ｙ側）の壁部に、第５の流路Ｆ５に導かれた冷却風が流出する補助流出口４１ｅが形成されている。補助流出口４１ｅは、図４に示すように、Ｙ方向から見て、封止部３１１１Ｃの先端、つまりリード線３１１５近傍に位置するように形成されている。
【００５２】
次に、流出口形成部４１の外面側の形状について説明する。
流出口形成部４１の外面側には、平行化レンズ３１３が収納される枠部４１３、および上カバー４３Ｕと下カバー４３Ｄとで形成される第１〜第４の流路Ｆ１〜Ｆ４それぞれの下流側が設けられている。
枠部４１３は、図３、図４に示すように、第２凹部４１２（図５参照）の外面側から平行化レンズ３１３の外周を覆うように枠状に突出して形成されている。
【００５３】
図６は、流出口形成部４１、上カバー４３Ｕおよび下カバー４３Ｄの分解斜視図であり、（ａ）は上方から見た図、（ｂ）は、下方から見た図である。
第１の流路Ｆ１および第２の流路Ｆ２の下流側は、図６（ａ）に示すように、第２凹部４１２（図５参照）の外面側の上面４１３Ａと、上面４１３Ａから起立する複数の壁部４１３Ｂと、複数の壁部４１３Ｂに架橋される上カバー４３Ｕとで形成されている。
【００５４】
第１の流路Ｆ１の下流側には、図３に示すように、上流側の冷却風が流入する流入口４Ａａが設けられている。流入口４Ａａは、流出口形成部４１の−Ｙ側で上端近傍となる位置に設けられ、図６（ａ）に示すように、流出口４１ａに連通するように形成されている。
【００５５】
第２の流路Ｆ２の下流側には、図３に示すように、上流側の冷却風が流入する流入口４Ａｂが設けられている。流入口４Ａｂは、流入口４Ａａの−Ｘ側に並設され、図６（ａ）に示すように、流出口４１ｂに連通するように形成されている。そして、流入口４Ａａから流出口４１ａまでの経路は、流入口４Ａｂから流出口４１ｂまでの経路より短く形成されている。
【００５６】
第３の流路Ｆ３および第４の流路Ｆ４の下流側は、図６（ｂ）に示すように、第２凹部４１２（図５参照）の外面側の下面４１３Ｃと、下面４１３Ｃから起立する複数の壁部４１３Ｄと、複数の壁部４１３Ｄに架橋される下カバー４３Ｄとで形成されている。
【００５７】
第３の流路Ｆ３の下流側には、図３に示すように、上流側の冷却風が流入する流入口４Ａｃが設けられている。流入口４Ａｃは、流出口形成部４１の−Ｙ側で下端近傍となる位置に設けられ、図６（ｂ）に示すように、流出口４１ｃに連通するように形成されている。
【００５８】
第４の流路Ｆ４の下流側には、図３に示すように、上流側の冷却風が流入する流入口４Ａｄが設けられている。流入口４Ａｄは、流入口４Ａｃの＋Ｘ側に並設され、図６（ｂ）に示すように、流出口４１ｄに連通するように形成されている。そして、流入口４Ａｄから流出口４１ｄまでの経路は、流入口４Ａｃから流出口４１ｃまでの経路より短く形成されている。また、上カバー４３Ｕおよび下カバー４３Ｄは、図３、図４に示すように、第１凹部４１１の外面側より飛び出さないように形成されている。つまり、第１〜第４の流路Ｆ１〜Ｆ４の下流側は、プロジェクター１内のデッドスペースになりがちなスペースに設けられている。
【００５９】
そして、流入口４Ａａ，４Ａｂと、流入口４Ａｃ，４Ａｄとの間には、図３に示すように、前述した補助流出口４１ｅと連通する流入口４Ａｅが設けられている。
また、流出口形成部４１には、流入口４Ａａ，４Ａｂ，４Ａｃ，４Ａｄとは反対側に、図６（ａ）に示すように、光源３１１を冷却した冷却風が排出される排出口４１４が設けられている。
【００６０】
本体カバー４２は、図３に示すように、流出口形成部４１の−Ｘ側の端面に略合致するような平面視矩形状の端部を有している。そして、この平面視矩形状の端部の四隅には、一方の対角上に位置する一対のボス４２１、および他方の対角上に位置する一対の筒状部４２２（一方の筒状部４２２は図示省略）が形成されている。
【００６１】
一対のボス４２１は、Ｘ方向に延出し、流出口形成部４１の挿通孔４１Ｈ対向する位置にネジ穴（図示省略）が設けられている。光源３１１およびリフレクター３１２が収納された流出口形成部４１は、この挿通孔にネジＳＣが挿通されて、本体カバー４２に固定される。
【００６２】
一対の筒状部４２２は、ボス４２１より長くＸ方向に延出し、本体カバー４２の−Ｘ側端部近傍まで形成されている。一対の筒状部４２２には、流出口形成部４１の挿通孔４１Ｈ対向する位置に挿通孔４２２Ｈが形成されており、この挿通孔４２２Ｈには、図３に示すように、着脱用ネジＳＣｔが挿通されている。なお、着脱用ネジＳＣｔは、止め輪により、本体カバー４２から脱落しないように構成されている。
そして、光源３１１およびリフレクター３１２が収納され、上カバー４３Ｕおよび下カバー４３Ｄが取り付けられたリフレクター収納部４Ａは、この着脱用ネジＳＣｔによって保持部６に固定される。つまり、リフレクター収納部４Ａは、保持部６に対して、Ｘ方向に着脱自在に構成されている。
【００６３】
次に、導入口形成部４Ｂについて説明する。
導入口形成部４Ｂには、第１〜第５の流路Ｆ１〜Ｆ５それぞれの上流側が設けられている。また、導入口形成部４Ｂは、図３に示すように、開閉装置５を内部に収納し、保持枠６Ａの−Ｙ側に固定される。つまり、第１〜第５の流路Ｆ１〜Ｆ５は、上カバー４３Ｕおよび下カバー４３Ｄが取り付けられたリフレクター収納部４Ａが保持部６に装着されることによって、リフレクター収納部４Ａと導入口形成部４Ｂとが組み合わされて上流側から下流側が接続されることとなる。
【００６４】
図７は、導入口形成部４Ｂおよび開閉装置５の分解斜視図である。
導入口形成部４Ｂは、図７に示すように、保持部６の−Ｙ側に配置され、第１形成部４４および第２形成部４５を備えている。
第１形成部４４は、箱状に形成されており、冷却ファン９１から送出された冷却風を導入する導入口４４ａ，４４ｂ，４４ｃ，４４ｄ、および補助導入口４４ｅと、導入口４４ａ，４４ｂ，４４ｃ，４４ｄ、および補助導入口４４ｅそれぞれに連通する第１導出口４４ｆ，４４ｇ，４４ｈ，４４ｉ、４４ｊを有している。
【００６５】
導入口４４ａ，４４ｂ，４４ｃ，４４ｄは、図７に示すように、第１形成部４４の＋Ｘ側端部の央部に設けられており、Ｘ方向に延出する中心軸４４Ｓの周囲に並設されている。具体的に、導入口４４ａ，４４ｂ，４４ｃ，４４ｄは、中心軸４４Ｓを中心とする平面視円形状の開口部が、この中心軸４４Ｓを通るＸ−Ｙ平面に沿う壁部、およびＸ−Ｚ平面に沿う壁部で略４等分に仕切られて形成されている。換言すると、導入口４４ａ，４４ｂ，４４ｃ，４４ｄは、平面視円形状の開口部が中心軸４４Ｓから放射状に延出する壁部によって仕切られて形成されている。また、中心軸４４Ｓには、ネジ穴が設けられている。
【００６６】
具体的に、導入口４４ａ，４４ｂ，４４ｃ，４４ｄは、図７の図面視において（＋Ｘ側から見て）、中心軸４４Ｓに対し、右上側、左上側、左下側、右下側にそれぞれ形成されており、第１〜第４の流路Ｆ１〜Ｆ４における上流側の端部を形成する。そして、流出口４１ａ，４１ｂ，４１ｃ，４１ｄは、前述したように、図５の図面視において（−Ｘ側から見て）、光軸Ｃに対し、左上側、右上側、右下側、左下側に、それぞれ形成されている。つまり、導入口４４ａ，４４ｂ，４４ｃ，４４ｄは、中心軸４４Ｓに対するそれぞれの位置関係が、光軸Ｃに対する流出口４１ａ、４１ｂ，４１ｃ，４１ｄのそれぞれの位置関係と同様になるように形成されている。
【００６７】
第１形成部４４には、導入口４４ａ，４４ｂ，４４ｃ，４４ｄを取り囲むように形成された矩形状の枠部４４１が設けられている。
補助導入口４４ｅは、図３に示すように、枠部４４１の＋Ｙ側の壁部と導入口４４ａ，４４ｂ，４４ｃ，４４ｄとの間に設けられており、第５の流路Ｆ５における上流側の端部を形成する。
冷却ファン９１の冷却風を送出する送出口の先端は、枠部４４１に挿入され、送出された冷却風は、導入口４４ａ，４４ｂ，４４ｃ，４４ｄ、および補助導入口４４ｅに導入される。
【００６８】
第１導出口４４ｆ，４４ｇ，４４ｈ，４４ｉ、４４ｊは、図７に示すように、第１形成部４４の＋Ｙ側端部に設けられている。具体的に、第１導出口４４ｆ，４４ｇは、第１形成部４４の上側端部近傍に、第１導出口４４ｆが第１導出口４４ｇの＋Ｘ側に位置するように並設される。第１導出口４４ｈ，４４ｉは、第１形成部４４の下側端部近傍に、第１導出口４４ｉが第１導出口４４ｈの＋Ｘ側に位置するように並設される。そして、第１導出口４４ｊは、第１導出口４４ｆ，４４ｇと第１導出口４４ｈ，４４ｉとの間に形成されている。
【００６９】
第２形成部４５は、第１形成部４４の＋Ｙ側に組み込まれる部材であり、図７に示すように、第１導出口４４ｆ，４４ｇ，４４ｈ，４４ｉ、４４ｊとそれぞれ連通する第２導出口４５ａ，４５ｂ，４５ｃ，４５ｄ，４５ｅを有している。
第２導出口４５ａ，４５ｂ，４５ｃ，４５ｄ，４５ｅの周縁部は、リフレクター収納部４Ａが保持部６に装着される際に、流出口形成部４１に設けられた流入口４Ａａ，４Ａｂ，４Ａｃ，４Ａｄ，４Ａｅ（図３参照）の周縁部と良好に嵌合し、第１形成部４４から流出する冷却風が効率よく流入口４Ａａ，４Ａｂ，４Ａｃ，４Ａｄ，４Ａｅに流入するように形成されている。
【００７０】
リフレクター収納部４Ａは、保持部６に装着されることで、保持部６に固定された導入口形成部４Ｂに組み合わされ、流出口４１ａ、４１ｂ，４１ｃ，４１ｄは、導入口４４ａ，４４ｂ，４４ｃ，４４ｄにそれぞれ連通する。つまり、第１〜第５の流路Ｆ１〜Ｆ５は、リフレクター収納部４Ａと導入口形成部４Ｂとが組み合わされことで上流側と下流側とが接続される。また、導入口４４ａから流出口４１ａまでの経路は、導入口４４ｂから流出口４１ｂまでの経路より短く、導入口４４ｄから流出口４１ｄまでの経路は、導入口４４ｃから流出口４１ｃまでの経路より短く形成されている。そして、リフレクター収納部４Ａは、光源３１１が交換される際には、導入口形成部４Ｂから分離されて保持部６から抜脱される。
【００７１】
〔開閉装置の構成〕
開閉装置５は、回転する回転部材５１を備え、この回転部材５１がプロジェクター１の姿勢に応じて導入口４４ａ，４４ｂ，４４ｃ，４４ｄを選択的に開閉するように構成されている。
開閉装置５は、図７に示すように、回転部材５１に加え、規制用ネジ５２を備えている。
【００７２】
回転部材５１は、外形が平面視における導入口４４ａ，４４ｂ，４４ｃ，４４ｄの外形より大きな円形の板金で形成され、中央部には、第１形成部４４の中心軸４４Ｓが挿通される挿通孔（図示省略）が形成されている。そして、回転部材５１には、周縁部および円形状の略半分を残すように形成され、導入口４４ａ，４４ｂ，４４ｃ，４４ｄのいずれかを開放する開口部５１１が設けられている。
【００７３】
回転部材５１は、挿通孔に中心軸４４Ｓが挿通され、この中心軸４４Ｓを中心に回転自在に支持される。つまり、回転部材５１は、光軸Ｃと同一方向に延出し、リフレクター３１２の外側に設けられた中心軸４４Ｓを中心に回転可能となる。そして、回転部材５１は、中心軸４４Ｓに対して、開口部５１１が設けられた側がその反対側より軽いので、重力によって、開口部５１１が設けられた側が鉛直方向における上側となるように回転する。
規制用ネジ５２は、回転部材５１が支持された中心軸４４Ｓのネジ穴にネジ締めされ、回転部材５１が中心軸４４Ｓから脱落しないように規制する。
【００７４】
〔保持部の構成〕
保持部６は、図３に示すように、開閉装置５を収納する導入口形成部４Ｂが取り付けられ、リフレクター収納部４Ａを着脱自在に保持する。
保持部６は、保持枠６Ａおよび第２板金６Ｂを備えている。
図８は、導入口形成部４Ｂが取り付けられた保持部６を示す斜視図であり、第２板金６Ｂを省略した図である。
【００７５】
保持枠６Ａは、高耐熱性の合成樹脂製で、図８に示すように、−Ｘ側に開口部を有する平面視矩形状に形成され、図５に示すように、流出口形成部４１の先端側が挿入される形状を有している。
保持枠６Ａには、図８に示すように、＋Ｘ側の面に光束が通過する開口部６１が形成され、＋Ｙ側の面には、流出口形成部４１の排出口４１４（図６（ａ）参照）と連通する排出口６２が形成されている。そして、保持枠６Ａの−Ｙ側の面には、導入口形成部４Ｂの第２導出口４５ａ，４５ｂ，４５ｃ，４５ｄ，４５ｅが露出する開口部６３が設けられている。
【００７６】
保持枠６Ａの四隅のうち一方の対角上に位置する隅部には、本体カバー４２の挿通孔４２２Ｈから突出する着脱用ネジＳＣｔ（図３参照）が螺合されるネジ穴６Ｈが形成されている。そして、保持枠６Ａには、図７に示すように、下端部に＋Ｘ方向に突出する一対の突起部６４が形成され、この突起部６４にはネジが挿通される挿通孔６４Ｈｄが設けられている。また、保持枠６Ａの上面には、一対の丸穴６４Ｈｕが設けられている。
【００７７】
第２板金６Ｂは、リフレクター３１２から反射された光束による保持枠６Ａの劣化を抑制する機能を有し、図４に示すように、保持枠６Ａの内面に沿って配置されている。
保持部６は、６４Ｈｄにネジが挿通され外装筐体２の下ケースにネジ固定され、この下ケースに外装筐体２の上ケースが組み込まれる際に、上ケースに設けられた突起部（図示省略）が丸穴６４Ｈｕに挿通されて外装筐体２に固定される。
そして、光源３１１およびリフレクター３１２が収納され、上カバー４３Ｕおよび下カバー４３Ｄが取り付けられたリフレクター収納部４Ａは、導入口形成部４Ｂが取り付けられ、外装筐体２に固定された保持部６に着脱される。
【００７８】
〔開閉装置の動作および冷却風の流れ〕
ここで、開閉装置５の動作、および冷却ファン９１から送出された冷却風の流れについて、図９〜図１１を用いて説明する。
図９（ａ）は、据置き設置されたプロジェクター１を示す模式図、９（ｂ）は、据置き設置されたプロジェクター１における、導入口形成部４Ｂ、開閉装置５および流出口４１ａ、４１ｂ，４１ｃ，４１ｄを示す平面図である。なお、図９（ａ）は、（ｂ）より倍率が小さい図であり、図９（ｂ）は、流出口４１ａ、４１ｂ，４１ｃ，４１ｄを模式的に示した図である。
【００７９】
プロジェクター１は、図９（ａ）に示すように、据置き設置された際には、プロジェクター１の＋Ｚ側は、鉛直方向ＶＬにおける上側となる。そして、図９（ｂ）に示すように、導入口４４ａ，４４ｂは、導入口４４ｃ，４４ｄの上方に位置する。そして、流出口４１ａ，４１ｂは、発光管３１１１の上方に位置し、流出口４１ｃ，４１ｄは、発光管３１１１の下方に位置する。
【００８０】
回転部材５１は、重力により開口部５１１が鉛直方向ＶＬにおける上側となるため、導入口４４ａ，４４ｂが開放され、導入口４４ｃ，４４ｄが略閉塞された状態となる。そして、冷却ファン９１から送出された冷却風は、導入口４４ａ，４４ｂに送風され、導入口４４ｃ，４４ｄには殆ど送風されないこととなる。
【００８１】
導入口４４ａ，４４ｂに送風された冷却風は、第１の流路Ｆ１、第２の流路Ｆ２を流通して、図９（ｂ）に示すように、流出口４１ａ，４１ｂから流出する。そして、流出口４１ａ，４１ｂから流出する冷却風１０ｆは、図４、図９（ｂ）に示すように、直接発光管３１１１に送風される冷却風１０ｆや、リフレクター３１２の内面に沿って流通して発光管３１１１に送風される冷却風１０ｆとなる。つまり、発光管３１１１は、鉛直方向ＶＬにおける上方から送風された冷却風１０ｆによって冷却される。
【００８２】
また、導入口４４ａから流出口４１ａまでの経路は、導入口４４ｂから流出口４１ｂまでの経路より短く形成され、流出口４１ａの開口面積は、流出口４１ｂの開口面積より小さく設定されているので、流出口４１ａ，４１ｂから流出する冷却風は、同等の風量となる。そして、発光管３１１１を冷却した冷却風は、排出口４１４，６２から光源装置３１の外部に流出し、排気ファン（図示省略）によってプロジェクター１外部に排出される。
【００８３】
図１０（ａ）は、天吊り設置されたプロジェクター１を示す模式図、１０（ｂ）は、天吊り設置されたプロジェクター１における、導入口形成部４Ｂ、開閉装置５および流出口４１ａ、４１ｂ，４１ｃ，４１ｄを示す平面図である。なお、図９と同様に、図１０（ａ）は、（ｂ）より倍率が小さい図であり、図１０（ｂ）は、流出口４１ａ、４１ｂ，４１ｃ，４１ｄを模式的に示した図である。
【００８４】
プロジェクター１は、図１０（ａ）に示すように、天吊り設置された際には、プロジェクター１の＋Ｚ側は、鉛直方向ＶＬにおける下側となる。そして、図１０（ｂ）に示すように、導入口４４ｃ，４４ｄは、導入口４４ａ，４４ｂの上方に位置する。そして、流出口４１ｃ，４１ｄは、発光管３１１１の上方に位置し、流出口４１ａ，４１ｂは、発光管３１１１の下方に位置する。
【００８５】
導入口４４ａ，４４ｂ，４４ｃ，４４ｄは、重力により回転する回転部材５１によって、導入口４４ｃ，４４ｄが開放され、導入口４４ａ，４４ｂが略閉塞された状態となる。そして、冷却ファン９１から送出された冷却風は、導入口４４ｃ，４４ｄに送風され、導入口４４ａ，４４ｂには殆ど送風されないこととなる。
【００８６】
導入口４４ｃ，４４ｄに送風された冷却風は、第３の流路Ｆ３、第４の流路Ｆ４を流通して、図１０（ｂ）に示すように、流出口４１ｃ，４１ｄから流出し、発光管３１１１に送風される。つまり、発光管３１１１は、天吊り設置においても、鉛直方向ＶＬにおける上方から送風された冷却風１１ｆによって冷却される。
また、導入口４４ｄから流出口４１ｄまでの経路は、導入口４４ｃから流出口４１ｃまでの経路より短く形成され、流出口４１ｄの開口面積は、流出口４１ｃの開口面積より小さく設定されているので、流出口４１ｃ，４１ｄから流出する冷却風は、同等の風量となる。
【００８７】
図１１（ａ）は、据置き設置に対してプロジェクター１が傾斜して設置される傾斜設置の一例を示す模式図、１１（ｂ）は、この傾斜設置されたプロジェクター１における、導入口形成部４Ｂ、開閉装置５および流出口４１ａ、４１ｂ，４１ｃ，４１ｄを示す平面図である。なお、図９と同様に、図１１（ａ）は、（ｂ）より倍率が小さい図であり、図１１（ｂ）は、流出口４１ａ、４１ｂ，４１ｃ，４１ｄを模式的に示した図である。
【００８８】
プロジェクター１は、図１１（ａ）に示すように、据置き設置に対して投写レンズ３６が下方に位置するように傾斜（略４５°傾斜）するように設置された際には、プロジェクター１の＋Ｚ側は、鉛直方向ＶＬに対して左方に略４５°傾斜した状態となる。そして、図１１（ｂ）に示すように、導入口４４ａは、導入口４４ｃの上方に位置し、導入口４４ｂ，４４ｄは、水平方向に略沿った位置となる。そして、流出口４１ａは、発光管３１１１の上方に位置し、流出口４１ｃは、発光管３１１１の下方に位置する。そして、流出口４１ｂ，４１ｄは、発光管３１１１の側方に位置する。
【００８９】
導入口４４ａ，４４ｂ，４４ｃ，４４ｄは、図１１（ｂ）に示すように、重力により回転する回転部材５１によって、導入口４４ａが開放され、導入口４４ｃが閉塞され、導入口４４ｂ，４４ｄが略半分開放された状態となる。そして、冷却ファン９１から送出された冷却風は、導入口４４ａ，４４ｂ，４４ｄに送風され、導入口４４ｃには殆ど送風されないこととなる。
【００９０】
導入口４４ａ，４４ｂ，４４ｄに送風された冷却風は、第１の流路Ｆ１、第２の流路Ｆ２、第４の流路Ｆ４を流通して、図１１（ｂ）に示すように、流出口４１ａ，４１ｂ，４１ｄから流出し、発光管３１１１に送風される。また、導入口４４ｂ，４４ｄは、略半分開放された状態なので、流出口４１ｂ，４１ｄから流出する冷却風１２ｆは、流出口４１ａから流出する冷却風１３ｆより風量が小さくなる。このように、発光管３１１１は、傾斜設置において、上方から送風された冷却風１３ｆ、および側方から送風された冷却風１２ｆによって冷却される。
【００９１】
プロジェクター１は、図１１（ａ）に示す略４５°傾斜する以外の姿勢においても、その姿勢に対応して、回転部材５１が流出口４１ａ、４１ｂ，４１ｃ，４１ｄのうち、鉛直方向ＶＬにおける上側となる流出口に連通する導入口を開放し、下側となる流出口に連通する導入口を閉塞するように回転する。そして、光源３１１は、主に上方から送風された冷却風によって冷却される。つまり、光源３１１は、プロジェクター１が光軸Ｃに沿う方向の軸を中心として３６０°回転される範囲において、主に鉛直方向ＶＬにおける上方から送風された冷却風によって冷却される。
なお、補助導入口４４ｅは、プロジェクター１の姿勢に係わらず閉塞されないので、冷却ファン９１から送出された冷却風の一部は、第５の流路Ｆ５を流通して、補助流出口４１ｅから流出し、発光管３１１１の先端側を冷却する。
【００９２】
このように、光源装置３１は、プロジェクター１が設置される姿勢に応じて、開閉装置５が導入口４４ａ，４４ｂ，４４ｃ，４４ｄを選択的に開閉する。そして、光源３１１は、鉛直方向ＶＬにおける上方から送風された冷却風によって、また、隣り合う複数の流出口から流出する冷却風によって冷却される。
【００９３】
以上説明したように、本実施形態のプロジェクター１によれば、以下の効果を得ることができる。
（１）光源装置３１は、上述した光源用筐体４および開閉装置５を備えているので、プロジェクター１の姿勢が変更された場合であっても、鉛直方向ＶＬにおける略同一の方向から冷却風を光源３１１に送風し、光源３１１を安定して冷却することが可能となる。
【００９４】
（２）光源装置３１は、プロジェクター１の姿勢に係わらず、鉛直方向ＶＬにおける上側から光源３１１を冷却するように構成されている。これによって、鉛直方向ＶＬにおける上側が熱くなりがちな光源３１１の上側に冷却風を集中的に送風して、光源３１１を効率よく冷却することが可能となる。
【００９５】
（３）回転部材５１は、重力で回転するように構成されている。これによって、回転部材５１を駆動する駆動部やその駆動部を制御する制御部等を備えることなく、簡素な構造で導入口４４ａ，４４ｂ，４４ｃ，４４ｄを選択的に開閉することが可能となる。
【００９６】
（４）流出口形成部４１には、４つの流出口４１ａ，４１ｂ，４１ｃ，４１ｄが設けられ、光軸Ｃ方向から見て、発光管３１１１を取り囲むように配置されている。これによって、プロジェクター１の姿勢が変更された際にも、鉛直方向ＶＬにおいて、光源３１１に略同一の方向から冷却風を送風し、光源３１１を安定して冷却することが可能となる。
また、第１〜第４の流路Ｆ１〜Ｆ４の下流側は、プロジェクター１内のデッドスペースになりがちなスペースに設けられているので、プロジェクター１の大型化が抑制される。
【００９７】
（５）プロジェクター１は、上述した光源装置３１を備えているので、据置き設置および天吊り設置を含む光軸Ｃに沿う方向の軸を中心として３６０°回転される範囲内の姿勢において、効率よく光源３１１を冷却することが可能となる。よって、使用シーンを広げ、長期間に亘って光源装置３１の使用が可能なプロジェクター１の提供が可能となる。
【００９８】
（６）導入口形成部４Ｂおよび開閉装置５をプロジェクター１本体に配置した状態で、リフレクター収納部４Ａを取り出すことで、光源３１１を交換することができる。よって、光源３１１を交換するための交換部材に導入口形成部４Ｂおよび開閉装置５を含める必要がないので、交換部品の点数増加の抑制や、交換するユニットを小型化できることによる取り扱い性の向上が図れる。
【００９９】
なお、前記実施形態は、以下のように変更してもよい。
（変形例１）
前記実施形態の光源用筐体４は、開閉装置５にて開閉される導入口として４つの導入口４４ａ，４４ｂ，４４ｃ，４４ｄを備えて構成されているが、４つに限らず他の数で構成してもよい。
図１２は、変形例１の導入口形成部７、および流出口形成部８の一部を示す模式図である。
【０１００】
導入口形成部７には、図１２に示すように、中心軸７Ｓの周囲に並設された６つの導入口７ａ〜７ｆが設けられている。導入口７ａ〜７ｆは、平面視円形状の開口部が中心軸７Ｓから放射状に延出する壁部によって仕切られて形成されている。
具体的に、導入口７ａは、中心軸７Ｓの上方（＋Ｚ方向）に位置し、導入口７ｂ〜７ｆは、図１２の図面視において、導入口７ａから順次時計回りに略等間隔で並設するように形成されている。
【０１０１】
流出口形成部８には、図１２に示すように、６つの流出口８ａ〜８ｆが設けられている。流出口８ａ〜８ｆは、Ｘ方向から見て発光管３１１１を取り囲むように配置され、流出口８ａは、発光管３１１１の上方（＋Ｚ方向）に位置し、流出口８ｂ〜８ｆは、図１２の図面視において、流出口８ａから順次時計回りに並設するように形成されている。そして、流出口８ａ〜８ｆは、それぞれが導入口７ａ〜７ｆに連通している。
【０１０２】
図１３、図１４は変形例１の動作を説明するための図である。
図１３（ａ）に示すように、プロジェクター１が据置き設置された際には、図１３（ｂ）に示すように、導入口７ａ，７ｂ，７ｆは、開放され、導入口７ｃ，７ｄ，７ｅは、回転部材５１により略閉塞された状態となる。そして、冷却ファン９１から送出された冷却風は、導入口７ａ，７ｂ，７ｆから導入されて、流出口８ａ，８ｂ，８ｆから流出し、発光管３１１１に送風される。流出口８ａ，８ｂ，８ｆは、鉛直方向ＶＬにおいて発光管３１１１の上方に位置するので、発光管３１１１は、鉛直方向ＶＬにおける上方から送風された冷却風２０ｆによって冷却される。
【０１０３】
図１４（ａ）に示すように、プロジェクター１が図１１（ａ）に示す傾斜設置と同様の傾斜設置された際には、図１４（ｂ）に示すように、導入口７ａ，７ｂ，７ｃは、開放され、導入口７ｆは、一部が開放され、導入口７ｄ，７ｅは、回転部材５１により閉塞された状態となる。そして、冷却ファン９１から送出された冷却風は、導入口７ａ，７ｂ，７ｃ，７ｆから導入されて、流出口８ａ，８ｂ，８ｃ，８ｆから流出し、発光管３１１１に送風される。また、導入口７ｆは、一部が開放された状態なので、流出口８ｆから流出した冷却風２１ｆは、流出口８ａ，８ｂから流出する冷却風２２ｆ、および流出口８ｃから流出する冷却風２３ｆより風量が小さくなる。
【０１０４】
流出口８ａ，８ｂは、鉛直方向ＶＬにおいて、発光管３１１１の上方に位置し、流出口８ｃ，８ｆは、発光管３１１１の側方に位置するので、発光管３１１１は、鉛直方向ＶＬにおける上方から送風された冷却風２２ｆ、側方から送風された冷却風２３ｆによって冷却される。
このように、導出口が６つ形成された場合にも、光源装置３１は、プロジェクター１が設置される姿勢に応じて、導入口７ａ〜７ｆが選択的に開閉され、発光管３１１１は、隣り合う複数の流出口から流出する冷却風によって冷却される。また、発光管３１１１は、主に鉛直方向ＶＬにおける上方から送風された冷却風によって冷却される。
【０１０５】
（変形例２）
リフレクター収納部４Ａと導入口形成部４Ｂとを一体化し、この一体化されたユニットを着脱可能とするように構成してもよい。
【０１０６】
（変形例３）
前記実施形態では、第１〜第４の流路Ｆ１〜Ｆ４にそれぞれ１つの流出口４１ａ、４１ｂ，４１ｃ，４１ｄが設けられるように構成されているが、１つの流路に複数の流出口を設けるように構成してもよい。
【０１０７】
（変形例４）
前記実施形態の開閉装置５は、回転部材５１が重力で回転するように構成されているが、回転部材を回転させる駆動部を備え、電動によってこの回転部材を回転させるように構成しても良い。
【０１０８】
（変形例５）
前記実施形態では、光変調装置は、３つ設けられていたが、その数は３つに限らず、１つ、２つ、あるいは、４つ以上であっても構わない。
また、前記実施形態の光変調装置は、透過型の液晶パネルを有して構成されているが、反射型液晶パネルを利用したものであってもよい。また、光変調装置は、マイクロミラーアレイを用いたデバイス等を使用したものであってもよい。
【０１０９】
（変形例６）
光源３１１は放電型のランプに限らず、その他の方式のランプや発光ダイオード等の固体光源で構成してもよい。
【符号の説明】
【０１１０】
１…プロジェクター、２…外装筐体、３…光学ユニット、４Ａ…リフレクター収納部、４Ｂ，７…導入口形成部、５…開閉装置、６…保持部、７ａ，７ｂ，７ｃ，７ｄ，７ｅ，７ｆ，４４ａ，４４ｂ，４４ｃ，４４ｄ…導入口、８ａ，８ｂ，８ｃ，８ｄ，８ｅ，８ｆ，４１ａ，４１ｂ，４１ｃ，４１ｄ…流出口、１０ｆ，１１ｆ，１２ｆ，１３ｆ，２０ｆ，２１ｆ，２２ｆ，２３ｆ…冷却風、３１…光源装置、３６…投写レンズ、５１…回転部材、３１１…光源、３１２…リフレクター、３１２Ａ…開口部、３５１，３５１Ｂ，３５１Ｇ，３５１Ｒ…液晶ライトバルブ、３１１１…発光管、３１１１Ａ…発光部、９１…冷却ファン、ＶＬ…鉛直方向。
【図１】
2013246183.tif 000003
【図２】
2013246183.tif 000004
【図３】
2013246183.tif 000005
【図４】
2013246183.tif 000006
【図５】
2013246183.tif 000007
【図６】
2013246183.tif 000008
【図７】
2013246183.tif 000009
【図８】
2013246183.tif 000010
【図９】
2013246183.tif 000011
【図１０】
2013246183.tif 000012
【図１１】
2013246183.tif 000013
【図１２】
2013246183.tif 000014
【図１３】
2013246183.tif 000015
【図１４】
2013246183.tif 000016